(57)【要約】【課題】  多種多様で複雑な機能を備えたファクシミリ装置の操作を簡単にする。【解決手段】  画質優先／セキュリティ優先／コスト優先／確実性・コスト優先の各送信目的に関連して所定の機能が登録され、１つの宛先に、送信用電話番号とリアルタイム型インターネット送信用、電子メール用、スキャナ送信用の各アドレスが登録される。画質優先送信が指定されると、画情報をカラーで読取り最高解像度機能を有効にし、スキャナ送信用宛先を指定可能とする。セキュリティ優先送信が指定されると、親展送信機能を有効にし、公衆回線を介した送信用宛先を指定可能とする。コスト優先送信が指定されると、画情報を二値で読み取り最低解像度機能を有効にし、電子メール送信用宛先を指定可能とする。確実性及びコスト優先送信が指定されると、画情報を二値で読取り、最低解像度機能を有効にし、リアルタイム型インターネット送信用宛先を指定可能とする。【選択図】  図３
2006054810.tif 000002
【特許請求の範囲】
【請求項１】
複数の送信目的と複数の機能を有するファクシミリ装置において、
前記送信目的と機能とを関連させて登録する登録手段と、
ユーザにより１つの送信目的が指定されたとき、この指定された送信目的と関連して前記登録手段に登録された機能を自動的に設定する制御手段とを備えたことを特徴とするファクシミリ装置。
【請求項２】
１つの送信宛先に対して、ファクシミリ送信用の電話番号と、リアルタイム型のインターネットファクシミリ送信用アドレスと、電子メール用アドレスと、スキャナ送信用アドレスが登録される宛先登録手段を備え、
前記送信目的として、画質優先送信が指定された場合は、画情報をカラーで読み取り、解像度を最高にする機能を有効にすると共に、前記宛先登録手段に登録されたスキャナ送信用宛先を指定可能とすることを特徴とする請求項１記載のファクシミリ装置。
【請求項３】
前記送信目的として、セキュリティ優先送信が指定された場合は、親展送信機能を有効にすると共に、前記宛先登録手段に登録された公衆回線を介したファクシミリ送信用宛先を指定可能とすることを特徴とする請求項２記載のファクシミリ装置。
【請求項４】
前記送信目的として、コスト優先送信が指定された場合は、画情報を二値で読み取り、解像度を最低にする機能を有効にすると共に、前記宛先登録手段に登録された電子メール送信用宛先を指定可能とすることを特徴とする請求項２または３に記載のファクシミリ装置。
【請求項５】
前記送信目的として、確実性及びコスト優先送信が指定された場合は、画情報を二値で読み取り、解像度を最低にする機能を有効にすると共に、前記宛先登録手段に登録されたリアルタイム型インターネットファクシミリ送信用宛先を指定可能とすることを特徴とする請求項２から４のいずれか１項に記載のファクシミリ装置。
【発明の詳細な説明】
【技術分野】
【０００１】
本発明は、各種通信手段を備え、多種多様な機能を備えたファクシミリ装置の送信操作に関するものである。
【背景技術】
【０００２】
近年のファクシミリ装置は、公衆回線だけでなく、ネットワークにも対応したものがあり、通信手段が多様化している。その結果、多種多様で複雑な機能を備えたファクシミリ装置が多くなっている。これに対し、複数の通信手段のための宛先情報を持つ宛先を指定した場合に、何れの宛先情報を選択するか自動的に決定するというネットワークファクシミリ装置およびその制御方法がある（例えば、特許文献１参照）。
【特許文献１】特開２０００−１８４１１８号公報
【発明の開示】
【発明が解決しようとする課題】
【０００３】
上述のように、多種多様で複雑な機能を備えたファクシミリ装置は、その操作方法も、複雑にならざるを得ず、機能に対して十分な知識を持っていない一般ユーザにとっては、自分がやりたいことをどう実現させればよいのかわからず、使い勝手が悪いという問題があった。その対策として前記特許文献１に開示された技術があるが、これだけでは十分とは言えなかった。
従って、本発明は上記の問題を解決し、操作を簡単にしたファクシミリ装置を提供することを課題とする。
【課題を解決するための手段】
【０００４】
請求項１記載の発明は、複数の送信目的と複数の機能を有するファクシミリ装置において、送信目的と機能とを関連させて登録する登録手段と、ユーザにより１つの送信目的が指定されたとき、この指定された送信目的と関連して登録手段に登録された機能を自動的に設定する制御手段とを備えたことを特徴とする。
【０００５】
請求項２記載の発明は、請求項１記載の発明において、１つの送信宛先に対して、ファクシミリ送信用の電話番号と、リアルタイム型のインターネットファクシミリ送信用アドレスと、電子メール用アドレスと、スキャナ送信用アドレスが登録される宛先登録手段を備え、送信目的として、画質優先送信が指定された場合は、画情報をカラーで読み取り、解像度を最高にする機能を有効にすると共に、宛先登録手段に登録されたスキャナ送信用宛先を指定可能とすることを特徴とする。
【０００６】
請求項３記載の発明は、請求項２記載の発明において、送信目的として、セキュリティ優先送信が指定された場合は、親展送信機能を有効にすると共に、宛先登録手段に登録された公衆回線を介したファクシミリ送信用宛先を指定可能とすることを特徴とする。
【０００７】
請求項４記載の発明は、請求項２または３記載の発明において、送信目的として、コスト優先送信が指定された場合は、画情報を二値で読み取り、解像度を最低にする機能を有効にすると共に、宛先登録手段に登録された電子メール送信用宛先を指定可能とすることを特徴とする。
【０００８】
請求項５記載の発明は、請求項２から４のいずれか１項に記載の発明において、送信目的として、確実性及びコスト優先送信が指定された場合は、画情報を二値で読み取り、解像度を最低にする機能を有効にすると共に、宛先登録手段に登録されたリアルタイム型インターネットファクシミリ送信用宛先を指定可能とすることを特徴とする。
【発明の効果】
【０００９】
本発明によれば、複数の送信目的と複数の機能とを関連付けて登録しておくことにより、ユーザが送信目的を指定するだけで関連する機能を利用できるので、通信手段が多様化し、多種多様で複雑な機能を備えたファクシミリ装置であっても、各機能に対して十分な知識を持っていない一般ユーザであっても、自分がやりたいことを簡単な操作で実現できるようになり、使い勝手をよくすることができる。
【発明を実施するための最良の形態】
【００１０】
以下、本発明の実施の形態を図面と共に説明する。
図１は本発明の実施の形態によるファクシミリ装置の構成を示すブロック図である。
図示のように、ファクシミリ装置は、ＣＰＵ１、ＲＯＭ２、ＲＡＭ３、操作表示部４、画情報読取部５、画情報出力部６、符号化復号化部７、画情報蓄積部８、モデム９、網制御部１０、データバス１１によって構成されている。
ＣＰＵ１は、ＲＯＭ２に書き込まれたプログラムに従って、ＲＡＭ３を使用しながら、操作表示部４、画情報読取部５、画情報出力部６、符号化復号化部７、画情報蓄積部８、モデム９、網制御部１０、ＬＡＮ制御部１１、データバス１２を制御するものである。
【００１１】
次に、本実施の形態によるファクシミリ装置の動作について説明する。ただし、ここで説明するのは、本発明に関する点についてのみとし、一般的なファクシミリ装置の動作に関する詳細な説明は省略する。
図２はファクシミリ送信操作を簡単に示したフローチャートである。
まず、ユーザにより送信目的の指定が行われ、この指定に基づいてパックとなっている関連する機能の設定が自動的に行われる。次に、ユーザにより送信宛先指定が行われ、指定が完了すると、原稿をセットした状態で送信が起動される。従来の一般的なファクシミリ装置との大きな違いは、送信目的指定及び機能設定が行われる点と宛先指定が行われる点である。
【００１２】
図３は上記送信目的指定及び機能設定について示したフローチャートである。
送信目的としては、画質優先／セキュリティ優先／コスト優先／確実性・コスト優先がある。これらの送信目的に対して所定の機能が関連して登録された登録手段を備えている。ユーザは、まず上記送信目的から１つを選択する。
・画質優先が選択された場合は、これと関連付けられたカラー＆最高解像度機能が自動的に設定される。このとき発信元名称印字など読み取った画像を加工する機能はＯＦＦされる。
・セキュリティ優先が選択された場合は、自動的に親展送信機能がＯＮとなる。
・コスト優先が選択された場合は、自動的に二値＆最低解像度機能が設定され、読み取った画情報のサイズを小さくすることで、通信コストを抑える。
・確実性・コスト優先が選択された場合も、コスト優先選択時と同様に自動的に二値＆最低解像度機能が設定され、読み取った画情報のサイズを小さくすることで、通信コストを抑える。
【００１３】
次に、宛先指定について説明する。図４は宛先指定について示したフローチャートである。
ユーザからテンポラリに入力される宛先は、指定された目的に合ったもののみを入力可能とする。宛先が登録されたメモリを用いるメモリ宛先指定の場合には、指定されてはじめて登録内容が特定されるため、ユーザが宛先を指定した際に、その宛先が指定された目的に合った宛先情報を含んでいるか否かをチェックする。１つの宛先に対して、ファクシミリ送信用の電話番号と、リアルタイム型のインターネットファクシミリ送信用アドレスと、電子メール用アドレスと、スキャナ送信用アドレスがメモリに登録される宛先登録手段を備えている。
【００１４】
・指定された送信目的が画質優先の場合には、スキャナ送信用宛先が送信目的に合った宛先となる。
・セキュリティ優先の場合には、公衆回線を介したファクシミリ送信用宛先が送信目的に合った宛先となる。
・コスト優先の場合には、電子メール送信用宛先が送信目的に合った宛先となる。
・確実性・コスト優先の場合には、リアルタイム型インターネットファクシミリ送信用宛先が送信目的に合った宛先となる。
チェックの結果、送信目的に合った宛先であれば、送信宛先として設定される。送信目的に合った宛先でなかった場合には、その宛先は無効となり、その旨ユーザに通知される。
なお、以上の動作は、全てＲＯＭ２に書き込まれたプログラムに従って、ＣＰＵ１が行っている。
【００１５】
以上説明した本実施の形態によれば、次の効果を得ることができる。
請求項１に関する実施の形態のファクシミリ装置によれば、複数の送信目的と複数の機能とを関連付けて登録しておくことにより、ユーザが送信目的を指定するだけで関連する機能を利用できるので、通信手段が多様化し、多種多様で複雑な機能を備えたファクシミリ装置であっても、各機能に対して十分な知識を持っていない一般ユーザであっても、自分がやりたいことを簡単な操作で実現できるようになり、使い勝手をよくすることができる。
【００１６】
請求項２に関する実施の形態のファクシミリ装置によれば、送信目的として、画質優先送信が指定された場合には、画情報をカラーで読み取り、解像度を最高にし、発信元名称印字など読み取った画像を加工する機能を無効とし、宛先としてはスキャナ送信用宛先のみを指定可能とし、複数の宛先情報が登録されているメモリ宛先が指定された場合はスキャナ送信用宛先とするので、画質最優先で送りたい場合に便利である。
【００１７】
請求項３に関する実施の形態のファクシミリ装置によれば、送信目的として、セキュリティ優先送信が指定された場合は、親展送信機能を有効とし、宛先としては公衆回線を介したファクシミリ送信用宛先のみを指定可能とし、複数の宛先情報が登録されているメモリ宛先が指定された場合はファクシミリ送信用宛先とするので、セキュリティ最優先で送りたい場合に便利である。
請求項４に関する実施の形態のファクシミリ装置によれば、送信目的として、コスト優先送信が指定された場合は、画情報を二値で読み取り、解像度を最低にし、宛先としては電子メール送信用宛先のみを指定可能とし、複数の宛先情報が登録されているメモリ宛先が指定された場合は電子メール送信用宛先とするので、コスト最優先で送りたい場合に便利である。
【００１８】
請求項５に関する実施の形態のファクシミリ装置によれば、送信目的として、確実性＆コスト優先送信が指定された場合は、画情報を二値で読み取り、解像度を最低にし、宛先としてはリアルタイム型インターネットファクシミリ送信用宛先のみを指定可能とし、複数の宛先情報が登録されているメモリ宛先が指定された場合はリアルタイム型インターネットファクシミリ送信用宛先とするので、確実に送信されたことを確認しつつコストもかけずに送りたい場合に便利である。
【図面の簡単な説明】
【００１９】
【図１】本発明の実施の形態によるファクシミリ装置の構成を示すブロック図である。
【図２】本実施の形態によるファクシミリ送信操作を簡単に示したフローチャートである。
【図３】送信目的指定及び機能設定について示したフローチャートである。
【図４】宛先指定について示したフローチャートである。
【符号の説明】
【００２０】
１    ＣＰＵ
２    ＲＯＭ
４    操作表示部
５    画情報読取部
６    画情報出力部
８    画情報蓄積部
９    モデム
１０    網制御部
１１    ＬＡＮ制御部
【図１】
2006054810.tif 000003
【図２】
2006054810.tif 000004
【図３】
2006054810.tif 000005
【図４】
2006054810.tif 000006